(57)【特許請求の範囲】
【請求項１】
スキャン信号を伝達するための複数のスキャンライン、前記スキャンラインからのスキャン信号に応答してデータ信号を伝達する複数のデータライン、前記複数のデータラインと前記複数のスキャンラインによって定義される複数のピクセルによって定義され、表示素子と前記表示素子を駆動するための駆動トランジスタを含むピクセル回路、および前記駆動トランジスタに駆動電流を供給する電源ラインを含むパネルと、
前記スキャンラインに選択的に前記スキャン信号を印加するスキャン駆動部と、
ＲＧＢ映像データを受信し、前記パネルに流れる総駆動電流の変化から生じる前記電源ラインの電圧降下を補償する補償信号を生成する補償回路部と、
前記ＲＧＢ映像データと前記補償信号を受信し、前記補償信号を前記ＲＧＢ映像データに適用して前記ＲＧＢ映像データを補償し、前記データラインに前記補償されたＲＧＢ映像データを印加するデータ駆動部とを含み、
前記補償回路部はフルホワイト状態での電圧降下及び前記フルホワイト状態での総駆動電流に基づいて前記補償信号を生成するアクティブマトリクス表示装置。
【請求項２】
前記補償回路部は、
前記パネルに表示される映像に関する映像データを分析して前記パネル全体に流れる総駆動電流を計算し、前記計算された総駆動電流に基づいて前記パネル全体に流れる総駆動電流の増減による前記電源ラインの電圧降下を補償する補償信号を利用して前記データ信号を補償する請求項１に記載のアクティブマトリクス表示装置。
【請求項３】
前記補償回路部は、
前記映像データの一画面分の映像データの各ＲＧＢピクセル別に映像データを合計する映像データ合計部と、
前記各ＲＧＢピクセルごとに合計された映像データに基づいて前記パネル全体に流れる総駆動電流を計算する駆動電流計算部と、
前記計算された総駆動電流に基づいて前記パネル全体に流れる総駆動電流の増減による前記電源ラインの電圧降下を補償する補償信号を生成する補償信号生成部とを含む請求項２に記載のアクティブマトリクス表示装置。
【請求項４】
前記補償信号は、電源ラインの電圧降下＝（フルホワイト状態の電圧降下）＊（計算された総駆動電流）／（フルホワイト状態の総駆動電流）の関係式により求められた前記電源ラインの電圧降下に対応して生成され、前記フルホワイト状態は前記ピクセル回路のそれぞれの表示素子が最大発光する状態である請求項３に記載のアクティブマトリクス表示装置。
【請求項５】
スキャン信号を伝達するための複数のスキャンライン、前記スキャンラインからのスキャン信号に応答してデータ信号を伝達する複数のデータライン、前記複数のデータラインと前記複数のスキャンラインによって定義される複数のピクセルによって定義され、表示素子と前記表示素子を駆動するための駆動トランジスタを含むピクセル回路、および前記駆動トランジスタに駆動電流を供給する電源ラインを含むパネルを備えるアクティブマトリクス表示装置の駆動方法において、
ＲＧＢ映像データを補償回路部とデータ駆動部とに供給するステップと、
（ａ）前記パネル全体に流れる総駆動電流の変化から生じる前記電源ラインの電圧降下を補償する補償信号を生成するステップと、
（ｂ）前記生成された補償信号を前記ＲＧＢ映像データに適用して前記ＲＧＢ映像データを補償するステップと、
（ｃ）前記補償されたＲＧＢ映像データを前記データラインに印加するステップとを含み、
前記補償信号はフルホワイト状態での電圧降下及び前記フルホワイト状態での総駆動電流に基づいて生成されるアクティブマトリクス表示装置の駆動方法。
【請求項６】
前記ステップ（ａ）は前記パネルに表示される映像に関する映像データを分析して、前記パネル全体に流れる総駆動電流を計算し、前記計算された総駆動電流に基づいて前記パネル全体に流れる総駆動電流の増減による前記電源ラインの電圧降下を補償する補償信号を生成する請求項５に記載のアクティブマトリクス表示装置の駆動方法。
【請求項７】
前記補償信号は、電源ラインの電圧降下＝（フルホワイト状態の電圧降下）＊（計算された総駆動電流）／（フルホワイト状態の総駆動電流）の関係式により求められた前記電源ラインの電圧降下に対応して生成され、前記フルホワイト状態は前記ピクセル回路のそれぞれの表示素子が最大発光する状態である請求項５に記載のアクティブマトリクス表示装置の駆動方法。
【発明の詳細な説明】
【技術分野】
【０００１】
本発明は、アクティブマトリクス表示装置およびその駆動方法に関するものであって、より詳細にはディスプレイのパネルに流れる電流の変動に起因する電源電圧の電圧降下により発生する駆動トランジスタのゲートとソースとの間の電圧減少を補償するアクティブマトリクス表示装置およびその駆動方法に関するものである。
【背景技術】
【０００２】
通常、アクティブマトリクス表示装置のうちの一つである有機電界発光（ｅｌｅｃｔｒｏｌｕｍｉｎｅｓｃｅｎｔ：以下「ＥＬ」という）表示装置は、蛍光性有機化合物を電気的に励起させ発光する表示装置であって、Ｎ×Ｍ個の有機発光セルを駆動して映像を表現する。このような有機発光セルを駆動する方式には単純マトリックス（ｐａｓｓｉｖｅ  ｍａｔｒｉｘ）方式と薄膜トランジスタ（ｔｈｉｎ  ｆｉｌｍ  ｔｒａｎｓｉｓｔｏｒ、ＴＦＴ）を利用したアクティブマトリクス（ａｃｔｉｖｅ  ｍａｔｒｉｘ）方式がある。
【０００３】
アクティブマトリクス方式および有機発光セルを利用した大画面ＴＶにおいて、輝度を高める場合、電流が急激に増加し、前記増加した電流に対応して電源供給部の内部抵抗および供給配線自体の抵抗によって有機発光パネルに印加される電源電圧が減少し、これにより有機発光画素の階調がわい曲され得る。
【発明の概要】
【発明が解決しようとする課題】
【０００４】
これに対して、本発明が解決しようとする課題は、パネルに流れる駆動電流変化による電源電圧の降下を補償するためのアクティブマトリクス表示装置およびその駆動方法を提供することにある。
【０００５】
本発明の課題は、以上で言及した課題に制限されず、言及されていないその他の課題は、次の記載から当業者に明確に理解できるであろう。
【課題を解決するための手段】
【０００６】
前記課題を解決するための本発明の一実施形態によるアクティブマトリクス表示装置は、スキャン信号を伝達するための複数のスキャンライン、前記スキャンラインからのスキャン信号に応答してデータ信号を伝達する複数のデータライン、前記複数のデータラインと前記複数のスキャンラインによって定義される複数のピクセルによって定義され、表示素子と前記表示素子を駆動するための駆動トランジスタを含むピクセル回路、および前記駆動トランジスタに駆動電流を供給する電源ラインを含むパネルと、前記スキャンラインに選択的に前記スキャン信号を印加するスキャン駆動部と、前記パネルに流れる総駆動電流の増減による前記電源ラインの電圧降下を補償する補償信号を生成する補償回路部と、前記データラインに前記補償信号によって補償されたデータ信号を印加するデータ駆動部とを含む。
【０００７】
一方、前記補償回路部は、前記パネルに表示される映像に関する映像データを分析して前記パネル全体に流れる総駆動電流を計算し、前記計算された総駆動電流に基づいて前記パネル全体に流れる総駆動電流の増減による前記電源ラインの電圧降下を補償する補償信号を利用して前記データ信号を補償する。
【０００８】
一方、前記補償信号は、電源ラインの電圧降下＝（フルホワイト状態の電圧降下）＊（計算された総駆動電流）／（フルホワイト状態の総駆動電流）の関係式により求められた前記電源ラインの電圧降下に対応して生成され、前記フルホワイト状態は前記ピクセル回路のそれぞれの表示素子が最大発光する状態である。
【０００９】
前記課題を解決するための本発明の一実施形態によるアクティブマトリクス表示装置の駆動方法は、スキャン信号を伝達するための複数のスキャンライン、前記スキャンラインからのスキャン信号に応答してデータ信号を伝達する複数のデータライン、前記複数のデータラインと前記複数のスキャンラインによって定義される複数のピクセルによって定義され、表示素子と前記表示素子を駆動するための駆動トランジスタを含むピクセル回路、および前記駆動トランジスタに駆動電流を供給する電源ラインを含むパネルを備えるアクティブマトリクス表示装置の駆動方法において、（ａ）前記パネル全体に流れる総駆動電流の増減による前記電源ラインの電圧降下を補償する補償信号を生成するステップと、（ｂ）前記生成された補償信号を利用して前記データ信号を補償するステップと、（ｃ）前記補償されたデータ信号を前記データラインに印加するステップとを含む。
【００１０】
本発明のその他の具体的な内容は、詳細な説明および図面に含まれている。
【発明の効果】
【００１１】
本発明の実施形態によれば、少なくとも次のような効果がある。
【００１２】
本発明の実施形態によるアクティブマトリクス表示装置およびその駆動方法によれば、ディスプレイに表示される映像の全体輝度による総駆動電流変動による電源ラインの電源電圧変動を補償し、各ピクセルが所望する階調を表現することができる。
【００１３】
本発明による効果は、以上で例示したものによって制限されず、さらに多様な効果が本明細書内に含まれている。
【図面の簡単な説明】
【００１４】
【図１】ＴＦＴを利用して有機発光素子を駆動するためのピクセル回路であって、本発明の一実施形態によるＮ×Ｍ個のピクセルのうち一つを代表的に図示する図である。
【図２】アクティブマトリクスディスプレイの電圧変動関係を模式的に図示する回路図である。
【図３】本発明の一実施形態による有機発光表示装置を示す図である。
【図４】図３に示す補償回路部の構成を図示するブロック図である。
【図５】本発明の他の実施形態による有機発光表示装置を示す図である。
【図６】本発明のまた他の実施形態による有機発光表示装置を示す図である。
【発明を実施するための形態】
【００１５】
本発明の利点、特徴、およびそれらを達成する方法は、添付される図面と共に詳細に後述される実施形態を参照すれば明確になるであろう。しかし、本発明は、以下で開示される実施形態に限定されるものではなく、互いに異なる多様な形態で具現されることが可能である。本実施形態は、単に本発明の開示が完全になるように、本発明が属する技術分野で通常の知識を有する者に対して発明の範疇を完全に知らせるために提供されるものであり、本発明は、請求項の範疇によってのみ定義される。なお、明細書全体にかけて、同一の参照符号は同一の構成要素を指すものとする。
【００１６】
以下、本発明の実施形態による有機発光表示装置について図面を参照して詳細に説明する。
【００１７】
図１は、ＴＦＴを利用して有機発光素子を駆動するためのピクセル回路であって、本発明の一実施形態によるＮ×Ｍ個のピクセルのうちの一つを代表的に図示する図である。
【００１８】
図１を参照すると、有機発光素子（ＯＥＬＤ）にＰタイプの駆動トランジスタ（ＭＤ）が接続され、発光のための電流を供給する。
【００１９】
駆動トランジスタ（ＭＤ）の電流量はＰタイプのスイッチングトランジスタ（ＭＳ）を介して印加されるデータ電圧によって制御される。このとき、印加された電圧を一定期間維持するためのキャパシタ（Ｃｇｓ）がトランジスタ（Ｍ１）のソースとゲートとの間に接続されている。トランジスタ（ＭＳ）のゲートにはｎ番目スキャンライン（Ｓｃａｎ［ｎ］）が接続されており、ソースにはｍ番目データライン（Ｄａｔａ［ｍ］）が接続されている。
【００２０】
このような構造のピクセル回路の動作を調べると、スイッチングトランジスタ（ＭＳ）のゲートに印加されるスキャン信号によってスイッチングトランジスタ（ＭＳ）がＯＮになると、データラインを介してデータ電圧信号（ＶＤＡＴＡ）が駆動トランジスタ（ＭＤ）のゲートに印加される。そして、駆動トランジスタ（ＭＤ）のゲートに印加されるデータ電圧信号（ＶＤＡＴＡ）に対応する電流が駆動トランジスタ（ＭＤ）を介して有機発光素子（ＯＥＬＤ）に流れて発光が成される。
【００２１】
このとき、有機ＥＬ素子に流れる電流は次の式（１）のとおりである。
【数１】
0006291692.tif 000002
【００２２】
ここで、ＩＯＥＬＤは有機ＥＬ素子に流れる電流であり、ＶＧＳはトランジスタ（ＭＤ）のソースとゲートとの間の電圧であり、ＶＤＤは駆動トランジスタ（ＭＤ）のソースに印加される電源電圧であり、ＶＴＨは駆動トランジスタ（ＭＤ）のしきい電圧であり、ＶＤＡＴＡはデータ電圧信号であり、βは定数値を示す。
【００２３】
前記式（１）に示すように、図１に図示したピクセル回路によれば、印加されるデータ電圧信号（ＶＤＡＴＡ）に対応する電流が有機ＥＬ素子（ＯＥＬＤ）に供給され、供給された電流に対応して有機ＥＬ素子が発光する。このとき、印加されるデータ電圧信号（ＶＤＡＴＡ）は階調を表現するために一定範囲でマルチレベル値を有する。
【００２４】
しかし、前記した従来のピクセル回路によれば、電源電圧（ＶＤＤ）を出力する外部電圧ソースに隣接するように電源ラインを介して接続されている駆動トランジスタ（ＭＤ）のソースには電源電圧（ＶＤＤ）が直接接続され、ピクセル回路のすべての駆動トランジスタ（ＭＤ）のソースは電源電圧（ＶＤＤ）に並列接続され、ほぼ同一の電源電圧（ＶＤＤ）の印加を受け得るが、パネルを介して流れる総駆動電流の変動に応じて電源電圧（ＶＤＤ）値が変動する場合には、駆動トランジスタ（ＭＤ）のゲートソース間の電圧差が変動されることにより、有機発光素子の階調が変動されるという問題がある。
【００２５】
以下、図２を参照してより具体的に説明する。
【００２６】
図２は、アクティブマトリクスディスプレイの電圧変動関係を模式的に図示する回路図である。
【００２７】
図２を参照すると、電源供給部１０はアクティブマトリクスディスプレイのパネル２０へ電源電圧（ＶＤＤ）を供給する。映像データ信号により、各ピクセルの階調が変動するパネル２０の全体抵抗（Ｒｐａｎｅｌ）は一種の可変抵抗として見られる。また、電源供給部１０は内部抵抗（Ｒｉｎ）および定電圧（ＶＰＷＲ）を供給する定電圧供給部（ＰＷＲ）を含み、電源電圧（ＶＤＤ）を供給する配線は抵抗（ＲＬ）を有する。
【００２８】
このとき、電源電圧（ＶＤＤ）は次の式（２）および式（３）のとおりである。
【００２９】
【数２】
0006291692.tif 000003
【００３０】
【数３】
0006291692.tif 000004
【００３１】
すなわち、理想的には、電源電圧（ＶＤＤ）と電源供給部１０の供給電圧（ＶＰＷＲ）は同一であるか、または多少小さい差異値を維持しなければならないが、パネル２０の駆動電流（ＩＰＡＮＥＬ）の変化に応じて電源電圧（ＶＤＤ）は変動することができ、フルホワイト状態でパネル２０の駆動電流（ＩＰＡＮＥＬ）が最大になり、パネル２０の抵抗（ＲＰＡＮＥＬ）が最小になるとき、電源電圧（ＶＤＤ）の電圧降下は大きく増加することができる。
【００３２】
これにより、駆動トランジスタのＶｇｓ値が変動され得ると共に、所望する階調が表示されないという問題がある。
【００３３】
図３は、本発明の一実施形態による有機発光表示装置を示す図である。
【００３４】
図３を参照すると、本発明の一実施形態による有機発光表示装置は、有機発光表示パネル１００、データ駆動部２００、スキャン駆動部３００、電源供給部４００、グラフィック制御部５００、および補償回路部６００を含む。
【００３５】
有機発光表示パネル１００はスキャン信号を伝達するための複数のスキャンライン（Ｓ１，Ｓ２，…、Ｓｎ）、複数のスキャンライン（Ｓ１，Ｓ２，…、Ｓｎ）からのスキャン信号に応答してデータ信号を伝達する複数のデータライン（Ｄ１，Ｄ２，…、Ｄｍ）、複数のデータライン（Ｄ１，Ｄ２，…、Ｄｍ）と複数のスキャンライン（Ｓ１，Ｓ２，…、Ｓｎ）により定義される複数のピクセルによって定義されるピクセル回路１１０、およびピクセル回路１１０に駆動電流を供給する電源ライン（Ｐ−Ｌｉｎｅ）を含む。
【００３６】
ピクセル回路１１０は、図１に図示するように、有機発光素子（ＯＥＬＤ）、駆動トランジスタ（ＭＤ）、スイッチングトランジスタ（ＭＳ）、およびキャパシタ（Ｃｇｓ）を含んでもよい。
【００３７】
駆動トランジスタ（ＭＤ）は、有機発光素子（ＯＬＥＤ）に接続され、発光のための電流を供給する。駆動トランジスタ（ＭＤ）の電流量はスイッチングトランジスタ（ＭＳ）を介して印加されるデータ電圧信号によって制御され得る。このとき、印加された電圧を一定期間維持するためのキャパシタ（Ｃｇｓ）が駆動トランジスタ（ＭＤ）のソースとゲートとの間に接続されている。
【００３８】
電源ライン（Ｐ−Ｌｉｎｅ）は電源供給部４００と各ピクセル回路１１０の駆動トランジスタ（ＭＤ）に並列接続されることができ、駆動トランジスタ（ＭＤ）に電源電圧（ＶＤＤ）を印加することによって、有機発光素子（ＯＬＥＤ）の発光のための駆動電流を供給することができる。
【００３９】
グラフィック制御部５００は、外部から受信される画像信号に基づいて、または自体的にデジタル映像データであるＲＧＢ映像データを生成することができる。
【００４０】
補償回路部６００は、グラフィック制御部５００から生成されたＲＧＢ映像データを受信し、ＲＧＢ映像データの一画面分の映像データを分析して有機発光表示パネル１００に流れる総駆動電流（ＩＰａｎｅｌ）を計算し、前記計算された総駆動電流（ＩＰＡＮＥＬ）に基づいて有機発光表示パネル１００に印加された電源ライン（Ｐ−Ｌｉｎｅ）の電源電圧（ＶＤＤ）の降下を補償するための補償信号を生成することができる。
【００４１】
データ駆動部２００は、グラフィック制御部５００から提供されるＲＧＢ映像データおよび補償回路部６００から提供される補償信号を受信し、有機発光表示パネル１００の総駆動電流（ＩＰａｎｅｌ）の変動によって発生する電源電圧（ＶＤＤ）の変動による駆動トランジスタ（ＭＤ）の駆動電圧の減少を補償するため、補償されたデータ信号を生成して補償されたデータ信号をデータライン（Ｄ１，Ｄ２，…、Ｄｍ）に印加することができる。また、図３には図示していないが、データ駆動部２００はラッチ回路とレベルシフター回路を含んでもよい。ラッチ回路は直列で受信されるＲＧＢ映像データを保存してデータ信号を有機発光表示パネル１００に並列で印加するためにデータを保存することができ、レベルシフター回路は有機発光表示パネル１００に印加する実際の電圧のレベルを調整することができる。ラッチ回路とレベルシフター回路の具体的構成は本発明が属する技術分野の通常の知識を有する者であれば、容易にわかるものであるため、具体的な説明は省略する。
【００４２】
スキャン駆動部３００は複数のスキャンライン（Ｓ１，Ｓ２，…、Ｓｎ）にスキャン信号を印加し、前記スキャン信号によってデータライン（Ｄ１，Ｄ２，…、Ｄｍ）を介して印加されるデータ信号がピクセル回路（１１０）内の駆動トランジスタ（ＭＤ）に印加されるようにするスイッチの役割を果たす。
【００４３】
整理すると、映像データに対応して有機発光表示パネル１００に表示される映像の全体の明るさまたは階調に応じ、有機発光表示パネル１００に流れる総駆動電流（ＩＰＡＮＥＬ）の大きさは増減する。そして、総駆動電流（ＩＰＡＮＥＬ）の増減と共に、電源ライン（Ｐ−Ｌｉｎｅ）に接続された電源電圧（ＶＤＤ）の電圧レベルは変動され、各駆動トランジスタ（ＭＤ）のゲートおよびソースとの間に印加されるＶｇｓの値は変動するため、本来の映像データによるピクセルの階調を表現できなくなる。本発明によれば、総駆動電流（ＩＰＡＮＥＬ）の変動を感知し、電源電圧（ＶＤＤ）の降下程度をデータ駆動部２００のデータ信号に対して補償することによって、前記の問題を克服することができる。
【００４４】
以下、図４を参照して補償回路部６００の具体的な構成について説明する。
【００４５】
図４は、本発明の一実施形態による補償回路部６００の構成を図示するブロック図である。
【００４６】
図４を参照すると、本発明の一実施形態による補償回路部６００は映像データ合計部６１０、駆動電流計算部６２０、補償信号生成部６３０を含んでもよい。
【００４７】
映像データ合計部６１０は、グラフィック制御部５００から生成されたＲＧＢ映像データを受信し、ＲＧＢ映像データの一画面分の映像データの各ＲＧＢピクセル別映像データを合計することができる。このとき、各ＲＧＢピクセル別映像データを合計することは、赤、緑、青の有機発光素子（ＯＬＥＤ）を区分し、ピクセル別明るさまたは階調値に対応する値を、同一色を有する有機発光素子（ＯＬＥＤ）に対して合計することである。これにより、映像データ合計部６１０は、各赤、緑、青の有機発光素子（ＯＬＥＤ）を含むピクセルに対する階調値に対応する合計値であるＲ  ｓｕｍ、Ｇ  ｓｕｍ、Ｂ  ｓｕｍを生成することができる。
【００４８】
また、駆動電流計算部６２０は、各ＲＧＢピクセルごとに合計された映像データ（Ｒ  ｓｕｍ、Ｇ  ｓｕｍ、Ｂ  ｓｕｍ）を受信し、これに基づいて有機発光表示パネル１００全体に流れる総駆動電流（ＩＰＡＮＥＬ）を計算することができる。例えば、駆動電流計算部６２０は、各ＲＧＢピクセルごとに合計された映像データ（Ｒ  ｓｕｍ、Ｇ  ｓｕｍ、Ｂ  ｓｕｍ）に対し、赤、緑、青の有機発光表示素子を含む各ピクセルの色に対応する単位階調当たりの電流を乗じて、総駆動電流（ＩＰＡＮＥＬ）を計算することができる。具体的に、赤の有機発光表示素子を含むピクセル回路１１０の単位階調当たりの電流をＲ電流とし、緑および青の有機発光表示素子を含むピクセル回路１１０の単位階調当たりの電流を各々Ｇ電流、Ｂ電流とするとき、総駆動電流（ＩＰＡＮＥＬ）は次の式（４）のとおりである。
【００４９】
【数４】
0006291692.tif 000005
【００５０】
すなわち、互いに異なる色を有する有機発光素子（ＯＬＥＤ）を含むピクセルを区分し、各ピクセルの階調値を合計した値（Ｒ  ｓｕｍ、Ｇ  ｓｕｍ、Ｂ  ｓｕｍ）に各色に対応する単位階調当たりの電流値を乗じて総駆動電流（ＩＰＡＮＥＬ）を計算することができる。
【００５１】
しかし、上記のように駆動電流計算部６２０が総駆動電流（ＩＰＡＮＥＬ）を計算することは、本発明による一実施形態に過ぎず、本発明はこれに限定されない。
【００５２】
本発明は、数式により総駆動電流（ＩＰＡＮＥＬ）を計算することはもちろんであり、所定のルックアップテーブルを利用して合計されたＲＧＢ映像データに該当する総駆動電流（ＩＰＡＮＥＬ）を計算することができる。
【００５３】
また、補償信号生成部６３０は、前記計算された総駆動電流（ＩＰＡＮＥＬ）に基づいて有機発光表示パネル１００に流れる総駆動電流（ＩＰＡＮＥＬ）の増減による電源ライン（Ｐ−Ｌｉｎｅ）の電源電圧（ＶＤＤ）の降下を補償するための補償信号を生成することができる。
【００５４】
このとき、補償信号は電源ライン（Ｐ−Ｌｉｎｅ）の電源電圧（ＶＤＤ）降下分に対応する電圧信号であり得ると共に、前記電源ライン（Ｐ−Ｌｉｎｅ）の電源電圧（ＶＤＤ）降下量は次の式（５）によって計算することができる。
【００５５】
【数５】
0006291692.tif 000006
【００５６】
すなわち、有機発光表示パネル１００のそれぞれのピクセル回路１１０が最大階調で発光するときをフルホワイト状態と定義すると、このときの総駆動電流（ＩＰＡＮＥＬ）および電源電圧（ＶＤＤ）の降下量に対し予め測定し、前記数式に対応する回路または前記数式によるルックアップテーブルと比較する方法により、電源ライン（Ｐ−Ｌｉｎｅ）の電源電圧（ＶＤＤ）の降下による補償信号を生成することができる。
【００５７】
前記実施形態では、補償回路部６００が総駆動電流（ＩＰＡＮＥＬ）の増減による電源電圧（ＶＤＤ）の電圧降下をデータ駆動部２００に対して補償することにおいて、ＲＧＢ映像データをデータ駆動部２００と並列で受信し、電源電圧（ＶＤＤ）の電圧降下に対し、補償された信号をデータ駆動部２００に伝達するが、本発明はこれに限定されるものではなく、補償回路部６００が有機発光表示装置に流れる総駆動電流（ＩＰＡＮＥＬ）を感知し、データ駆動部２００から生成されるデータ信号を補償する形態のすべての実施形態を含む。
【００５８】
以下、図５および図６を参照し、補償回路部６００が総駆動電流（ＩＰＡＮＥＬ）を感知し、データ駆動部２００から生成されるデータ信号を補償する他の実施形態について説明する。
【００５９】
図５は、本発明の他の実施形態による有機発光表示装置を示す図である。図３と実質的に同一な構成要素に対しては同一図面符号を使用するため、該当構成要素に対する詳細な説明は省略する。
【００６０】
図５を参照すると、本発明の他の実施形態による有機発光表示装置が一実施形態と異なる点は、補償回路部６００ａがＲＧＢ映像データを受信し、受信されたＲＧＢ映像データを補償し、補償されたＲＧＢ映像データを補償信号としてデータ駆動部２００に伝達する点である。
【００６１】
このとき、補償回路部６００ａは有機発光表示パネル１００の総駆動電流（ＩＰＡＮＥＬ）変化による電源電圧（ＶＤＤ）の降下をＲＧＢ映像データに対して補償し、補償されたＲＧＢ映像データをデータ駆動部２００に伝達することができる。これにより、データ駆動部２００は別途の一実施形態と同様に、本来のＲＧＢ映像データと補償回路部６００ａから生成された補償信号を集合するための別途の回路は必要としない。
【００６２】
以下、前述した本発明による一実施形態と重複する説明は省略する。
【００６３】
図６は、本発明のまた他の実施形態による有機発光表示装置を示す図である。図３と実質的に同一構成要素に対しては同一図面符号を使用し、該当構成要素に対する詳細な説明は省略する。
【００６４】
図６を参照すると、本発明のまた他の実施形態による有機発光表示装置が一実施形態と異なる点は、補償回路部６００ｂが電源ライン（Ｐ−Ｌｉｎｅ）に接続され、電源ライン（Ｐ−Ｌｉｎｅ）を介して有機発光表示パネル１００に流れる総駆動電流（ＩＰＡＮＥＬ）を感知し、総駆動電流（ＩＰＡＮＥＬ）の増減による電源ライン（Ｐ−Ｌｉｎｅ）の電源電圧（ＶＤＤ）の降下を補償する補償信号を生成する点である。
【００６５】
図６によれば、補償回路部６００ｂが有機発光表示パネル１００と電源ライン（Ｐ−Ｌｉｎｅ）に並列接続されているが、これに限定されるものではなく、補償回路部６００ｂは、有機発光表示パネル１００の電源ライン（Ｐ−Ｌｉｎｅ）と電源供給部４００が接続される間に直列接続され得るか、または有機発光表示パネル１００の電源ライン（Ｐ−Ｌｉｎｅ）と接地電圧（ＧＮＤ）との間に直列接続され得る。
【００６６】
具体的には、補償回路部６００ｂは、有機発光表示パネル１００に流れる総駆動電流（ＩＰＡＮＥＬ）を感知することができ、電源電圧（ＶＤＤ）の降下量を計算してデータ駆動部２００のデータ信号に対する補償信号を生成することができる。補償回路部６００ｂが総駆動電流（ＩＰＡＮＥＬ）を感知することは、例えば、電源ライン（Ｐ−Ｌｉｎｅ）に有機発光表示パネル１００と並列接続された補償回路部６００ｂに印加される電圧の増減を直接感知することである。すなわち、有機発光表示パネル１００に印加される電源電圧（ＶＤＤ）をそのまま補償回路部６００ｂに並列で印加することによって、総駆動電流（ＩＰＡＮＥＬ）の変動によって発生する電源電圧（ＶＤＤ）の降下を補償回路部６００ｂが電圧測定の形態で直接感知することができる。その後、補償回路部６００ｂは電源電圧（ＶＤＤ）が降下する程度に基づく補償信号を生成してデータ駆動部２００に伝達する。
【００６７】
整理すれば、本実施形態は有機発光表示パネル１００に流れる総駆動電流（ＩＰＡＮＥＬ）の変動による電源電圧（ＶＤＤ）の降下を電源ライン（Ｐ−Ｌｉｎｅ）に直列および／または並列接続された補償回路部６００ｂが電圧測定および／または電流測定の方法により直接感知し、電源ライン（Ｐ−Ｌｉｎｅ）の電源電圧（ＶＤＤ）の降下に対応する補償信号を生成し、データ駆動部２００に伝達するフィードバック構造である。
【００６８】
以上添付された図面を参照して本発明の実施形態について説明したが、本発明が属する技術分野で通常の知識を有する者は、本発明が、その技術的思想や必須の特徴を変更しない範囲で他の具体的な形態で実施され得ることを理解することができる。したがって、上記実施形態はすべての面で例示的なものであり、限定的なものではないと理解しなければならない。
【００６９】
例えば、本発明の実施形態で説明した電源ラインの電源電圧（ＶＤＤ）の減少を補償するための補償信号を生成する回路部については、有機発光表示装置の回路部に基づいて説明したが、これに限定されるものではない。本発明の補償信号を生成する回路部は多様な形態のアクティブマトリクス表示装置に適用することができる。
【符号の説明】
【００７０】
１００  有機発光表示パネル
１１０  ピクセル回路
２００  データ駆動部
３００  スキャン駆動部
４００  電源供給部
５００  グラフィック制御部
６００  補償回路部
６００ａ  補償回路部
６００ｂ  補償回路部
６１０  映像データ合計部
６２０  駆動電流計算部
６３０  補償信号生成部
【図１】
0006291692.tif 000007
【図２】
0006291692.tif 000008
【図３】
0006291692.tif 000009
【図４】
0006291692.tif 000010
【図５】
0006291692.tif 000011
【図６】
0006291692.tif 000012